(57)【要約】【課題】  チキンナゲットやフィッシュマックディッパー（商品名）等が収納されるカール部が形成されていないカップであっても、カール部が形成されたカップと同様に１個づつ確実に引き抜くことができる構成が簡易で、所望の作業位置にも簡単にセットすることができる使い勝手に優れたカップディスペンサーを提供する。【解決手段】  カップディスペンサーを、積み重ねられたカップが収納される筒体と、この筒体内のカップ取出口側に配設された複数本のカップ押圧体と、これら各カップ押圧体の自由端部を常態において筒体の軸線方向に付勢する押圧体用バネと、上記筒体内に配設され上記カップの開口部に嵌合されるガイドカップと、該ガイドカップを常態においてカップ取出口方向へと付勢するカップ押圧用バネと、を有して構成した。【選択図】図４
2005316860.tif 000002
【特許請求の範囲】
【請求項１】
積み重ねられたカップが収納される筒体と、この筒体内のカップ取出口側に配設された複数本のカップ押圧体と、これら各カップ押圧体の自由端部を常態において筒体の軸線方向に付勢する押圧体用バネと、上記筒体内に配設され上記カップの開口部に嵌合されるガイドカップと、該ガイドカップを常態においてカップ取出口方向へと付勢するカップ押圧用バネと、を有して構成されてなるカップディスペンサー。
【請求項２】
前記筒体は、角筒状に形成されており、前記カップ押圧体は、角筒体のカップ取出口側の四隅部に夫々配設されていることを特徴とする請求項１に記載のカップディスペンサー。
【請求項３】
前記カップ押圧体の先端部は、筒体内に収納されたカップの最初に取り出されるカップの開口部外周面に弾接するように配設されていることを特徴とする請求項１又は請求項２のいずれかに記載のカップディスペンサー。
【請求項４】
前記カップは、開口上端部にカール部が形成されていないことを特徴とする請求項１乃至請求項３のいずれかに記載のカップディスペンサー。
【請求項５】
前記カップ押圧体の先端部は、筒体内に収納されたカップの最初に取り出されるカップの開口端部のカール部に係合するように構成されていることを特徴とする請求項１又は請求項２のいずれかに記載のカップディスペンサー。
【請求項６】
前記カップは、開口上端部にカール部が形成されていることを特徴とする請求項１，請求項２及び請求項５のいずれかに記載のカップディスペンサー。
【請求項７】
前記筒体内のカップ取出口部にカップ挿入ガイド用の傾斜面部を絞り形成したことを特徴とする請求項１乃至請求項６のいずれかに記載のカップディスペンサー。
【請求項８】
前記筒体内のカップ取出口部に、カップの挿入を円滑に行なうことが可能な樹脂フィルムを貼着したことを特徴とする請求項１乃至請求項７のいずれかに記載のカップディスペンサー。
【請求項９】
前記筒体の外表面部に、当該ディスペンサーの被取付体に吸着可能な磁石体を配設したことを特徴とする請求項１乃至請求項８のいずれかに記載のカップディスペンサー。
【発明の詳細な説明】
【技術分野】
【０００１】
この発明は、紙カップや合成樹脂製カップ等のカップを、例えば、１個づつ取り出すためのカップディスペンサーの改良に関する。
【背景技術】
【０００２】
周知のように、コーヒーや紅茶、ジュース類、スープ類、アイスクリーム等の冷菓等が注がれ、或は、チキンナゲットやフィッシュマックディッパー（商品名）等が収納されるカップは、例えば、特許文献１に示すような構成からなる簡易コップ供給具や、特許文献２に示すようなカップディスペンサーに収納され、使用の都度、１個づつ取り出すことができるようにセットされている。
【０００３】
【特許文献１】実開昭５５−９６１７号公報
【０００４】
【特許文献２】特開２０００−３０１４４号公報
【発明の開示】
【発明が解決しようとする課題】
【０００５】
ところで、これらの従来の簡易コップ供給具やカップディスペンサーは、カップの開口縁部に形成されたカール部にバネを係合させて保持し、この状態でカップを１個づつ引き抜くように構成されているため、例えば、チキンナゲットやフィッシュマックディッパー（商品名）等が収納されるカール部が形成されていないカップの場合には、バネが係止される部分がないので、１個づつ確実に引く抜くことができない、という問題を有していた。
【０００６】
この発明は、かかる現状に鑑み創案されたものであって、その目的とするところは、チキンナゲットやフィッシュマックディッパー（商品名）等が収納されるカール部が形成されていないカップであっても、カール部が形成されたカップと同様に１個づつ確実に引き抜くことができる構成が簡易で、所望の作業位置にも簡単にセットすることができる使い勝手に優れたカップディスペンサーを提供しようとするものである。
【課題を解決するための手段】
【０００７】
上記目的を達成するため、請求項１に記載の発明にあっては、カップディスペンサーを、積み重ねられたカップが収納される筒体と、この筒体内のカップ取出口側に配設された複数本のカップ押圧体と、これら各カップ押圧体の自由端部を常態において筒体の軸線方向に付勢する押圧体用バネと、上記筒体内に配設され上記カップの開口部に嵌合されるガイドカップと、該ガイドカップを常態においてカップ取出口方向へと付勢するカップ押圧用バネと、を有して構成したことを特徴とするものである。
【０００８】
次に、請求項２に記載の発明は、請求項１に記載のカップディスペンサーを技術的前提とし、前記筒体は、角筒状に形成されており、前記カップ押圧体は、角筒体のカップ取出口側の四隅部に夫々配設して構成したことを特徴とする。
【０００９】
請求項３に記載の発明は、請求項１又は請求項２のいずれかに記載のカップディスペンサーを技術的前提とし、前記カップ押圧体の先端部は、筒体内に収納されたカップの最初に取り出されるカップの開口部外周面に弾接するように配設したことを特徴とする。
【００１０】
請求項４に記載の発明は、請求項１乃至請求項３のいずれかに記載のカップディスペンサーを技術的前提とし、前記カップは、開口上端部にカール部が形成されていないことを特徴とする。
【００１１】
請求項５に記載の発明は、請求項１又は請求項２のいずれかに記載のカップディスペンサーを技術的前提とし、前記カップ押圧体の先端部は、筒体内に収納されたカップの最初に取り出されるカップの開口端部のカール部に係合するように構成されていることを特徴とする。
【００１２】
請求項６に記載の発明は、請求項１，請求項２及び請求項５のいずれかに記載のカップディスペンサーを技術的前提とし、前記カップは、開口上端部にカール部が形成されていることを特徴とする。
【００１３】
請求項７に記載の発明は、請求項１乃至請求項６のいずれかに記載のカップディスペンサーを技術的前提とし、前記筒体内のカップ取出口部にカップ挿入ガイド用の傾斜面部を絞り形成したことを特徴とする。
【００１４】
請求項８に記載の発明は、請求項１乃至請求項７のいずれかに記載のカップディスペンサーを技術的前提とし、前記筒体内のカップ取出口部に、カップの挿入を円滑に行なうことが可能な樹脂フィルムを貼着したことを特徴とする。
【００１５】
請求項９に記載の発明は、請求項１乃至請求項８のいずれかに記載のカップディスペンサーを技術的前提とし、前記筒体の外表面部に、当該ディスペンサーの被取付体に吸着可能な磁石体を配設したことを特徴とする。
【発明の効果】
【００１６】
請求項１に記載の発明にあっては、カップディスペンサーを、積み重ねられたカップが収納される筒体と、この筒体内のカップ取出口側に配設された複数本のカップ押圧体と、これら各カップ押圧体の自由端部を常態において筒体の軸線方向に付勢する押圧体用バネと、上記筒体内に配設され上記カップの開口部に嵌合されるガイドカップと、該ガイドカップを常態においてカップ取出口方向へと付勢するカップ押圧用バネと、を有して構成したので、チキンナゲットやフィッシュマックディッパー（商品名）等が収納されるカール部が形成されていないカップであっても、カール部が形成されたカップと同様に１個づつ確実に引き抜くことができ、しかも構成が簡易なので、故障も少なく、低コストで提供することができる。
【００１７】
請求項２に記載の発明は、前記筒体を、角筒状に形成し、前記カップ押圧体は、角筒体のカップ取出口側の四隅部に夫々配設して構成したので、積み重ねられたカップを筒体内へと挿入するときに、自然にカップの中心の軸線を筒体の中心軸線と合致させることができ、所謂センター決めを自動的にセットすることが可能となり、カップに余分な力が作用せず、カップ押圧体の力を平均にカップに作用させることができるので、カップの変形を有効に防止することができる。
【００１８】
請求項３に記載の発明は、請求項４に記載の開口上端部にカール部が形成されていないカップであっても、前記カップ押圧体の先端部を、筒体内に収納されたカップの最初に取り出されるカップの開口部外周面に弾接するように配設したので、カール部が形成されていないカップでも、１個づつ確実に引き抜くことができる。
【００１９】
請求項５に記載の発明は、請求項６に記載の開口上端部にカール部が形成されてなる主として飲料用のカップの場合でも、前記カップ押圧体の先端部を、筒体内に収納されたカップの最初に取り出されるカップの開口端部のカール部に係合するように構成したので、飲料用等のカール部が形成されているカップであっても、カール部が形成されていないカップと同様に、１個づつ確実に引き抜くことができる。
【００２０】
請求項７に記載の発明は、前記筒体内のカップ取出口部にカップ挿入ガイド用の傾斜面部を絞り形成したので、積み重ねられたカップを筒体内へと挿入をスムーズに行なうことができる。
【００２１】
請求項８に記載の発明は、前記筒体内のカップ取出口部に樹脂フィルムを貼着したので、カップの挿入を円滑に行なうことができる。
【００２２】
請求項９に記載の発明は、前記筒体の外表面部に、当該ディスペンサーの被取付体に吸着可能な磁石体を配設したので、ビス等の止着具を別途容易する必要がなく、作業ラインに沿った任意の位置に簡単に取付けることができ、また、作業ラインを変更した場合でも、被取付体にビス孔等が残らないので、被取付体の傷損を防止することができる。
【発明を実施するための最良の形態】
【００２３】
以下、添付図面に示す実施の一形態例に基づき、この発明を詳細に説明する。
【実施例１】
【００２４】
図１乃至図５は、この発明の実施例１に係るカップディスペンサー１を示しており、この実施例１に係るカップディスペンサー１は、カップＣが収納可能なスペースを有する角筒状に構成されており、例えば、図１に示すファーストフード店舗の作業ラインに沿って、所望の位置（図中太線で表した位置等）に配設されて使用される。
【００２５】
この角筒状に形成されたカップディスペンサー１は、ステンレス等の金属材或は硬質合成樹脂材で形成されており、図２に示すように、正面形状が略逆凹状に形成されたカバー部２と、このカバー部２の開口部を閉塞する底板部３と、カバー部２の手前側に固着されるカップ取出口側蓋部４と、このカップ取出口側とは反対側の開口部を閉塞するバネ取付用蓋部７と、から構成されており、これらはビスやねじ等の止着具を介して固着される。勿論、接着剤で固定してもよい。
【００２６】
カップ取出口側蓋部４には、図３に示すように、カール部が形成されていないカップＣの開口部直径よりも若干大径のカップ取り出し用の開口５が開設されており、該開口５の周縁部６は、傾斜面部を形成するように絞り成形されており、積み重ねられたカップを筒体内へと挿入をスムーズに行なうことができる。尚、図示はしないが、開口５の周縁部６の傾斜面部に樹脂フィルムを貼着することで、カップの挿入を円滑に行なうことができるように構成することもできる。
【００２７】
また、カップ取出口側蓋部４の裏面側四隅部には、図３乃至図５に示すように、４本のカップ押圧体１２Ａ，１２Ｂ，１２Ｃ，１２Ｄが配設されており、該カップ押圧体１２Ａ，１２Ｂ，１２Ｃ，１２Ｄの下部は、カップ取出口側蓋部４の裏面側四隅部に溶接固定された座体１１Ａ，１１Ｂ，１１Ｃ，１１Ｄに回転可能に軸支されていると共に、カップ押圧体１２Ａ，１２Ｂ，１２Ｃ，１２Ｄの下端部１２ｂがバネ１３Ａ，１３Ｂ，１３Ｃ，１３Ｄにより押し上げられ、これら各カップ押圧体１２Ａ，１２Ｂ，１２Ｃ，１２Ｄの自由端部１２ａを常態においてカップディスペンサー１の軸線Ｏ方向に付勢するように構成されている。
【００２８】
このように４本のカップ押圧体１２Ａ，１２Ｂ，１２Ｃ，１２Ｄの自由端部１２ａを常態においてカップディスペンサー１の軸線Ｏ方向に付勢するように構成することで、カップディスペンサー１内に挿入されたカップＣは、上記自由端部１２ａによって自動的にセンター決めされ、平均化された力で保持されるので、カップＣの変形を防止することができる。
【００２９】
また、上記４本のカップ押圧体１２Ａ，１２Ｂ，１２Ｃ，１２Ｄの自由端部１２ａは、図５に示すように、挿入されたカップＣ１，Ｃ２‥Ｃｎの最初に取り出されるカップＣ１のカールが形成されていない上縁部Ｍに弾接する長さに形成されている。
【００３０】
一方、前記バネ取付用蓋部７は、図２に示すように、側面形状がコ字状に形成されており、該バネ取付用蓋部７には平面形状がＬ字状のバネストッパー８が配設されており、該バネストッパー８には、カップ押圧用コイルスプリング１０の一端部が嵌合固着され、該カップ押圧用コイルスプリング１０の他端部には、カップＣの開口部に嵌合されるガイドカップ９が固着されており、該カップ押圧用コイルスプリング１０は、ガイドカップ９を常態においてカップ取出口方向へと付勢するように構成されている。
【００３１】
このように構成されてなるカップディスペンサー１は、作業ラインの所望の位置にビス等の止着具を介して固定される。
【００３２】
この実施例１に係るカップディスペンサー１は、以上のように構成されているので、カール部が形成されていないチキンナゲットやフィッシュマックディッパー（商品名）等が収納されるカップＣを複数個重ねたものを、カップ取出口側蓋部４に開設されたカップ取り出し用の開口５から挿入する。
【００３３】
すると、上記開口５の周縁部６は、絞り成形されているため、積み重ねられたカップＣの最後のカップＣｎは、上記周縁部６の傾斜面に沿って開口中央にガイドされつつカップディスペンサー１内へと送り込まれ、上記カップＣｎの開口部内は、前記ガイドカップ９に嵌合係止される。この状態から、積み重ねられたカップＣをカップ押圧用コイルスプリング１０の付勢力に抗してさらに筒内方へと押し込み、最初に取り出すカップＣ１の上縁部Ｍにカップ押圧体１２Ａ，１２Ｂ，１２Ｃ，１２Ｄの自由端部１２ａが弾接させた状態で上記カップ押し込み作業を止める。このとき、カップＣから手を離しても、カップ押圧用コイルスプリング１０の付勢力よりも強い力でカップ押圧体１２Ａ，１２Ｂ，１２Ｃ，１２Ｄの付勢力でカップＣ１を押圧保持するので、カップＣが不用意にカップディスペンサー１から飛び出すことはない。
【００３４】
次に、上記カップＣの収納状態からカップＣ１を引き抜くと、次のカップＣ２がカップ押圧用コイルスプリング１０の付勢力によってカップ取出口側方向（図５Ｈ方向）へと押し出され、該カップＣ２の上縁部Ｍにカップ押圧体１２Ａ，１２Ｂ，１２Ｃ，１２Ｄの自由端部１２ａが弾接して次の引き抜き作業に備えられる。以降、順にカップＣ３‥Ｃｎが同様の状態に順次セットされる。
【００３５】
この実施例１に係るカップディスペンサー１は、以上のように構成されているので、チキンナゲットやフィッシュマックディッパー（商品名）等が収納されるカール部が形成されていないカップであっても、カール部が形成されたカップと同様に１個づつ確実に引き抜くことができる。
【実施例２】
【００３６】
図７と図８は、この発明の実施例２に係るカップディスペンサー１を示しており、この実施例２に係るカップディスペンサー１は、前記カバー部２の外表面に、当該ディスペンサー１の被取付体の金属部に吸着可能な磁石体２０，２０を配設した他は、他の構成・作用は、実施例１と同様であるので、図面には実施例１で用いた符号と同一の符号を付して、その詳細な説明をここでは省略する。
【００３７】
この実施例２に係るカップディスペンサー１は、以上のように構成されているので、ビス等の止着具を別途容易する必要がなく、作業ラインに沿った任意の位置に簡単に取付けることができ、また、作業ラインを変更した場合でも、被取付体にビス孔等が残らないので、被取付体の傷損を防止することができる。
【００３８】
尚、上記実施例１及び２は、カール部が形成されていないカップＣを１個づつ取り出すカップディスペンサーを例にとり説明したが、この発明にあってはこれに限定されるものではなく、カップ押圧体１２Ａ，１２Ｂ，１２Ｃ，１２Ｄの自由端部１２ａを、カール部に係合する形状に変更するだけで、カール部が形成された従来の飲料用カップを収納するカップディスペンサーとしても用いることもできる。
【００３９】
また、上記実施例１，２では、カップディスペンサーを角筒状に形成した場合を例にとり説明したが、円筒状や多角形状に形成してもよい。
【図面の簡単な説明】
【００４０】
【図１】この発明の実施例１に係るカップディスペンサーの配置例を示す斜視説明図である。
【図２】同カップディスペンサーの構成を示す分解斜視図である。
【図３】同カップディスペンサーの要部の構成を示す説明図である。
【図４】同カップディスペンサーのカップ押圧体の取り付け状態を示す説明図である。
【図５】同カップディスペンサーにカップを挿入した状態を示す説明図である。
【図６】同カップディスペンサーの断面図である。
【図７】この発明の実施例２に係るカップディスペンサーの構成を示す斜視図である。
【図８】同カップディスペンサーにカップを挿入した状態を示す斜視図である。
【符号の説明】
【００４１】
Ｃ，Ｃ１，Ｃ２‥Ｃｎ  （カール部が形成されていない）カップ
Ｍ  （カール部が形成されていない）上縁部
Ｏ  カップディスペンサーの軸線
１  カップディスペンサー
２  カバー部
３  底板部
４  カップ取出口側蓋部
５  カップ取り出し用の開口
６  開口の周縁部
７  バネ取付用蓋部
９  ガイドカップ
１０  該カップ押圧用コイルスプリング
１１Ａ，１１Ｂ，１１Ｃ，１１Ｄ  座体
１２Ａ，１２Ｂ，１２Ｃ，１２Ｄ  カップ押圧体
１２ａ  カップ押圧体の自由端部
１２ｂ  カップ押圧体の下端部
１３Ａ，１３Ｂ，１３Ｃ，１３Ｄ  バネ
２０  磁石体
【図１】
2005316860.tif 000003
【図２】
2005316860.tif 000004
【図３】
2005316860.tif 000005
【図４】
2005316860.tif 000006
【図５】
2005316860.tif 000007
【図６】
2005316860.tif 000008
【図７】
2005316860.tif 000009
【図８】
2005316860.tif 000010